(57)【要約】  【課題】  法面等の施工対象地に確実に在来多年生草本類の群落を造成することができる在来多年生草本類群落の造成方法を提供すること。  【解決手段】  施工対象地Ｎに配置された在来多年生草本類の根茎又は株又は種子の上側あるいは在来多年生草本類の苗６の周囲を、防草機能、表層侵食防止機能、乾燥防止機能、保温機能または周辺植物の侵入防止機能のうちの少なくとも一つ以上の機能を備えたシート状体４で覆った状態とする。  【選択図】  図１
2005232953.tif 000002
【特許請求の範囲】
【請求項１】
施工対象地に配置された在来多年生草本類の根茎又は株又は種子の上側あるいは在来多年生草本類の苗の周囲を、防草機能、表層侵食防止機能、乾燥防止機能、保温機能または周辺植物の侵入防止機能のうちの少なくとも一つ以上の機能を備えたシート状体で覆った状態とすることを特徴とする在来多年生草本類群落の造成方法。
【請求項２】
施工対象地上の既存植物を排除するステップと、施工対象地を目土で覆うステップとを有する請求項１に記載の在来多年生草本類群落の造成方法。
【請求項３】
前記シート状体が地被植物をシート状に形成してなる請求項１または２に記載の在来多年生草本類群落の造成方法。
【発明の詳細な説明】
【技術分野】
【０００１】
この発明は、例えば、チガヤ、ススキ等の在来多年生草本類の群落の造成方法に関する。
【背景技術】
【０００２】
河川堤防等の法面の浸食防止対策の一つとして、野芝、高麗芝、ティフトン等の洋芝をロール状に巻いて運搬することが可能な植生マットとして作製しておき、これらの植生マットを法面に張り付ける工法が、従来より広く知られている。また、芝の根を引張強度の高い可撓性ネットに絡み付けることによって、マット形状を崩れ難くし、河川堤防の冠水域にも強固に張り付けることができるようにした植生マットとその製造方法も、特許文献１により提案されている。
【０００３】
これらの植生マットを法面に張り付ける工法は、施工直後から法面が緑化されるため、景観的に非常に優れた工法である。しかしながら、植生マットには、芝の栽培中に外部から飛散した多くの帰化植物（セイタカアワダチソウなど）の種子や元々圃場にあった帰化植物の根茎等が混入している。このような植生マットでは、施工後、大型の帰化植物が繁茂するようになり、次第に芝地から帰化植物よりなる雑草地に変わってしまうことがある。従って、繁茂した大型帰化植物を定期的に刈り取るといった維持管理が必要とされることになり、毎年、多大の維持管理費用が必要とされているのが実情である。
【０００４】
そのため、維持管理を軽減できる法面の緑化方法が求められている。この緑化方法として、近年、チガヤなどの在来多年生草本類の群落の造成をめざした試みがなされている。例えば、チガヤは、これまで雑草として扱われ、この種の用途に殆ど使用されていないが、太い地下茎を有し、根茎による無性繁殖と種子による有性繁殖とが可能で、旺盛な繁殖力を有する上、他の植物の発芽を抑制する他感作用が強く、しかも、非特許文献１に記載されている通り、長い根茎は１ｍあまりまで伸長し、個体当たりの根茎の総延長は約１２ｍにも達するので、強い土壌緊縛力が得られる。
【０００５】
従って、チガヤ群落の造成は法面の浸食防止に最適であり、また、チガヤの旺盛な繁殖力と他の植物の発芽や生長を抑制する他感作用とによって、純粋なチガヤ群落を法面に早期に造成することができるとともに、その造成後においても雑草の侵入・繁茂が抑制され、雑草を定期的に刈り取る必要などが無いのでチガヤ群落の維持管理にかかる手間と費用とは極めて少なく、景観的にも、白い穂をたなびかせる群落をなすチガヤの姿には美しいものがあり、これらの点から、チガヤは緑化用の草資源として非常に有望である。
【特許文献１】特開２００１−８５４７号公報（図１〜図３）
【非特許文献１】山口裕文編著「雑草の自然史」北海道大学図書刊行会出版、１９９    ７年６月１０日発行（第１４２頁〜第１４９頁）
【発明の開示】
【発明が解決しようとする課題】
【０００６】
しかし、法面にチガヤ等の在来多年生草本類の群落を造成する方法として、種子を肥料や保水材等の植物生育基盤材とともに法面に吹き付ける方法や、適当な長さに切断した根茎を法面に播き出して覆土する方法等が試みられているものの、これらの方法では次のような問題があった。すなわち、在来多年生草本類の中には、その種子や根茎が、施工現場の厳しい環境（特に、乾燥）の影響を受けやすいものや、高温でなければ発芽しないものなど、法面等の施工対象地における群落の造成が困難視されているものがあり、そのような在来多年生草本類の群落を上記方法により造成することができなかった。
【０００７】
この発明は上述の事柄に留意してなされたもので、その目的は、法面等の施工対象地に確実に在来多年生草本類の群落を造成することができる在来多年生草本類群落の造成方法を提供することである。
【課題を解決するための手段】
【０００８】
上記目的を達成するために、この発明の在来多年生草本類群落の造成方法は、施工対象地に配置された在来多年生草本類の根茎又は株又は種子の上側あるいは在来多年生草本類の苗の周囲を、防草機能、表層侵食防止機能、乾燥防止機能、保温機能または周辺植物の侵入防止機能のうちの少なくとも一つ以上の機能を備えたシート状体で覆った状態とすることを特徴としている（請求項１）。
【０００９】
また、前記造成方法が、施工対象地上の既存植物を排除するステップと、施工対象地を目土で覆うステップとを有していてもよい（請求項２）。
【００１０】
さらに、具体的には、前記シート状体は地被植物をシート状に形成したものであってもよい（請求項３）。
【発明の効果】
【００１１】
請求項１に係る発明では、前記シート状体が、防草機能、表層侵食防止機能、乾燥防止機能、保温機能または周辺植物の侵入防止（抑制）機能のうちの少なくとも一つ以上の機能を備えたものであるので、施工対象地に配置された在来多年生草本類の根茎又は株又は種子又は苗が良好に生育を続け、やがてしっかりと施工対象地の土壌に根付く。そして、このようにして根付いた在来多年生草本類によってその群落を造成することができ、この群落はシート状体を取り去った後も存続することになる。
【００１２】
また、在来多年生草本類の根茎又は株又は種子が、工事現場の厳しい環境の影響を受けやすく、法面等の施工対象地に直接播種しても発芽しないようなものであったり、チガヤの種子など高温でなければ発芽しないものであったとしても、本発明の造成方法では、在来多年生草本類の根茎又は株又は種子の発芽・発根に適する環境となるように構成された場所において、在来多年生草本類の根茎又は株又は種子を発芽・発根させて予め形成しておくことができるので、その施工に関する場所や時期が限定されることがない。また、本発明の造成方法は、使用する在来多年生草本類の種類をほとんど問わないので、例えば、施工対象地の周辺に存在する在来多年生草本類の根茎又は株又は種子又は苗を施工対象地に配置して育成すれば、生態系の破壊を生じさせることなく、施工対象地の緑化および侵食防止を図ることが可能となる。
【００１３】
上記造成方法を施工対象地にて実施すると、実施直後から施工対象地が在来多年生草本類によって継続的に緑化・浸食防止されることになる。そして、在来多年生草本類の旺盛な繁殖力によって、在来多年生草本類の優占する群落を法面に早期に造成することができ、帰化植物の繁茂が抑制され、ひいては維持管理（刈り込み、施肥等）の手間と費用が大幅に軽減される。
【００１４】
また、請求項２に係る発明では、施工対象地上の既存植物を排除するとともに、施工対象地を目土で覆うことにより、例えば、大型の雑草によって覆われ、雑草地となっている施工対象地に、美観に優れた在来多年生草本類の群落を造成することができる。
【００１５】
さらに、請求項３に係る発明では、在来多年生草本類が成長すると、前記シート状体を構成する地被植物が被圧されて衰退し、これにより、植生遷移が進み、在来多年生草本類による植物群落が容易にかつ短期間で形成されることとなる。
【００１６】
上記請求項１〜請求項３の発明において、例えば、在来多年生草本類としてチガヤを用いる場合、チガヤは２５〜３５°Ｃの湿潤条件下で発芽するので、チガヤをそのような条件を満たす人為的な管理下に置いて発芽させた後、施工対象地に配置することが好適である。そして、この場合、チガヤはその旺盛な繁殖力と他の植物の発芽や生長を抑制する他感作用とによって純粋な群落を形成・維持し続ける。
【発明を実施するための最良の形態】
【００１７】
以下、この発明の詳細を、図を参照しながら説明する。図１（Ａ）〜（Ｅ）は、この発明の一実施の形態に係る在来多年生草本類群落の造成方法の構成を概略的に示す説明図である。
この実施の形態に係る在来多年生草本類群落の造成方法は、例えばセイタカアワダチソウなどの雑草によってすでに覆われている法面に在来多年生草本類群落としてのチガヤ群落を造成する方法であり、まず、図１（Ａ）に示すように、前記雑草等の既存植物１に覆われている護岸等の斜面や盛土法面などの施工対象地としての法面Ｎにおいて、その法面Ｎ上の既存植物１を排除する排除ステップを実行する。この排除ステップは、例えば、草苅機等を用いて既存植物１を刈り取ることによって行われる。このとき、法面Ｎ上に残る既存植物１の株立２がなるべく低くなるように刈り取ることが望ましい。
【００１８】
次に、図１（Ｂ）に示すように、法面Ｎを目土３で覆う覆土ステップを実行する。この覆土ステップによって、法面Ｎ上には、上記排除ステップ後の法面Ｎ上に残った株立２や法面Ｎの表面の凹凸を完全に覆う目土３の層が形成される。すなわち、目土３の層は、排除ステップ後に法面Ｎ上に残った株立２の高さに応じた厚さを有していればよく、例えば、その層の厚さを数ｃｍ〜１０ｃｍ程度とすることができる。そして、上記目土３の層は、その上面が平滑になるように形成される。
【００１９】
続いて、図１（Ｃ）に示すように、法面Ｎ上に形成された目土３の層の表面にシート状体としての防草シート４を設置するシート状体設置ステップを実行する。防草シート４は、例えば、ビニールシートやゴムシートなどの合成樹脂性のシートよりなり、その全体が黒色、ダークグレー、濃紺色、こげ茶色、深緑色等の暗色となっている。そして、この防草シート４は、例えば、アンカーピン（図示していない）などによって目土３の層の上面に固定される。
【００２０】
その後、図１（Ｄ）に示すように、法面Ｎおよび目土３の層に複数の凹入部５を適宜の間隔（例えば１０〜１００ｃｍ間隔もしくは１ｍ2 当たり０．５〜４個程度の割合）で形成する凹入部形成ステップを実行する。この凹入部形成ステップでは、例えば、先端の尖った棒部材（図示していない）などを用いて、防草シート４に孔４ａを設けるとともに、法面Ｎおよび目土３の層における各孔４ａに対応する位置に凹入部５を形成する。また、即時または短期間でのチガヤ群落の造成を望む場合には１０〜３０ｃｍ間隔で凹入部５を設け、法面Ｎにおけるチガヤ群落への遷移をゆるやかに行う場合には、１ｍ2 当たり１個程度の割合で凹入部５を設ければよい。なお、各凹入部５の大きさは、後述するセルトレイ７の鉢部７ａよりやや大きめとする。
【００２１】
そして、各凹入部５内にチガヤ苗６を植え付ける植生ステップを実行する。ここで、前記チガヤ苗６は、以下のようにして得る。
【００２２】
すなわち、まず、チガヤの種子を発芽させるのであるが、この実施の形態では、図２に示すように、採取したチガヤの穂ａから種子を取り分けて置床し、温度及び湿度を人為的に管理して、２５〜３５℃の湿潤条件下で発芽させる。
【００２３】
幼芽・幼根ｂがそれぞれ５〜３０ｍｍ程度（好ましくは１０ｍｍ強程度）に伸長すれば、肥料、保水材等を一定割合で配合した植物生育基盤材（例えば、堆肥、ピートモス等の短繊維、バーミキュライト等を一定割合で配合した植物生育基盤材）が詰め込まれた鉢部７ａの幅と深さが１〜６ｃｍ（好ましくは３〜５ｃｍ程度）のセルトレイ７に移植して生育させる。
【００２４】
チガヤ苗６の草丈が５ｃｍ以上（好ましくは１５ｃｍ程度）になれば、チガヤ苗６をセルトレイ７の鉢部７ａから抜き取り、図１（Ｄ）および図３に示すように、凹入部５の中に移植する。このとき、図３に示すように、チガヤ苗６の根茎と凹入部５との隙間にも目土３を施すことが望ましい。
【００２５】
尚、凹入部５の中に移植するチガヤ苗６を得るにあたっては、切断したチガヤの根茎の１〜１０節（好ましくは２〜３節）を植物生育基盤材が詰め込まれた鉢部７ａの幅と深さが１〜１０ｃｍ（好ましくは幅１．５〜２．５ｃｍ、深さ２．５〜３．５ｃｍ程度）のセルトレイ７に植え込んで萌芽させ、セルトレイ７で葉が展開するまで生育させてもよい。  
【００２６】
ここで、上記植生ステップでは、実際には、チガヤ苗６を防草シート４の上面から押し込んで凹入部５に移植するため、その際に、図３に示すように、防草シート４が多少チガヤ苗６に巻き込まれる。このことにより、凹入部５の縁に存在する目土３が防草シート４に巻き込まれ、目土３とチガヤ苗６の境界付近に生える雑草を抑制するという効果が得られる。
【００２７】
上記のようにチガヤ苗６を植え付け、チガヤ苗６の周囲を防草シート４で覆った状態とした後、一定期間養生させ、チガヤ苗６が活着して生長していることが確認されたら、図１（Ｅ）に示すように、防草シート４を法面Ｎ（目土３の層）から取り外す。
【００２８】
上記チガヤ群落の造成方法では、防草シート４の上面を暗色としてあるので、日射による保温効果を高め、チガヤ苗６の生育により好ましい環境を形成することができる。
【００２９】
また、上記チガヤ群落の造成方法では、例えば、予め人為的な管理下で発芽・生育させて得られたチガヤ苗６を凹入部５内に植え付けることにより、法面Ｎに確実にチガヤ群落を造成することができ、その施工直後から法面Ｎがチガヤ苗によって緑化されることになる。
【００３０】
さらに、上記チガヤ群落の造成方法では、法面Ｎを目土３で覆う覆土ステップを設けたことにより、例えば、法面Ｎをなす土壌表面自体に由来する凹凸や、排除ステップ後に残った既存植物の株立によって形成される凹凸を、目土３で覆って平滑にすることにより、防草シート４の破損を防止することができるとともに、防草シート４の設置を容易かつ良好に行えるようになり、また、目土３の存在によって凹入部５内に植え付けたチガヤ苗６の活着が促進され、その上、法面Ｎ上に目土３よりなる層を形成することで、既存植物の埋土種子の発芽を抑制することができる。
【００３１】
また、上記チガヤ群落の造成方法では、防草シート４に孔４ａを設けるとともに、法面Ｎおよび目土３の層における各孔４ａに対応する位置に凹入部５を形成するので、防草シート４を設置した後に、法面Ｎ上の所望の箇所を適宜に選んで容易にチガヤ苗６を植え付けることができる。
【００３２】
なお、この発明は上記の実施の形態に限られず、種々に変形して実施することができる。例えば、上記排除ステップにおいて、既存植物１を刈り取るのではなく、燃焼させることで排除するようにしてもよい。
【００３３】
また、防草シート４として、予め孔４ａが設けられているものを用いてもよく、この場合には、凹入部形成ステップにおいて防草シート４に孔４ａを形成する手間を省くことができる。
【００３４】
さらに、防草シート４は、全体ではなく、例えば、その上面のみが黒色等の暗色となっていてもよい。
【００３５】
また、上記実施の形態では、シート状体として、雑草等の生育を防止する防草機能と、法面Ｎ表層の侵食を防止する機能と、チガヤ苗６の乾燥を防止する乾燥防止機能と、保温機能と、周辺植物の侵入を防止する機能とを有する防草シート４を用いているが、このような構成に限られない。すなわち、シート状体は、前記防草機能、表層侵食防止機能の他、チガヤ苗６の乾燥を防止する乾燥防止機能、チガヤ苗６を保温する保温機能または周辺植物の侵入防止（抑制）機能のうちの少なくとも一つ以上の機能を備えていればよい。従って、前記防草シート４に代えて、例えば前記表層侵食防止機能を有する侵食防止シートを用いてもよい。
【００３６】
また、前記シート状体を分解性素材若しくは崩壊性素材で形成すると、チガヤ苗６の法面Ｎへの活着後にシート状体を法面Ｎから取り外す作業を省くことができるので、この実施の形態のチガヤ群落の造成方法の実施が効率的となる。前記分解性素材若しくは崩壊性素材で形成されたシート状体としては、地被植物をシート状に形成してなる植生マット（野芝マット）や、例えば１〜１０ｍｍ径のヤシ繊維の撚り紐を１０×１０ｃｍ当たり５〜１５本になるように編織することで構成されたヤシネット、芝生マット等を挙げることができる。
【００３７】
また、上述した実施の形態では、前記セルトレイ７が、耐久性に富む材料で作製され（例えば合成樹脂製、金属製、木製等）、繰り返しての使用が可能に構成されているので、セルトレイ７で草丈が５〜１５ｃｍ程度になるまで生育させたチヤガ苗６を凹入部５内に移植するにあたっては、セルトレイ７に形成されている各々の鉢部７ａからチガヤ苗６を抜き取って移植しているが、セルトレイ７の材質と構造によっては、セルトレイで生育させたチガヤ苗６を鉢部７ａごと凹入部５内に移植するようにしてもよい。
【００３８】
例えば、セルトレイ７を紙等の水により脆弱化する材料や有孔の生分解性プラスチック等の腐食性材料などによって作製すると共に、図４（Ａ）に示すように、互いに独立した多数の鉢部７ａを密集状態に接着していた水溶性糊剤が育苗時の水分で接着力を失うことにより、鉢部７ａを分離することができるようにしたり、図４（Ｂ）に示すように、格子状に一体成型された鉢部７ａどうしの連結部に形成された局部的脆弱部７ｂから折り取ることにより、鉢部７ａを分離することができるように構成すれば、鉢部７ａが時間の経過とともに消失し、チガヤ苗６の根茎の伸長の障害にならないので、チガヤ苗６が草丈５〜１５ｃｍ程度育成された段階で、鉢部７ａごとに分離し、チガヤ苗６を鉢部７ａごと凹入部５内に移植することができる。このようにすれば、鉢部７ａがチガヤ苗６の根茎の一時的な保護膜となり、移植作業中における根茎の乾燥、根切れ等を防止することができる利点がある。
【００３９】
さらに、上述した実施の形態において、排除ステップおよび覆土ステップはそれぞれ、例えば、既存植物１が法面Ｎ上に存在しない場合や法面Ｎ上に凹凸がほとんど無い場合などには省くことができる。
【００４０】
また、上述した実施の形態では、チガヤ苗６、すなわち在来多年生草本類の苗を用いているが、在来多年生草本類の根茎又は株又は種子を用いてもよい。この場合、例えば、施工対象地（法面Ｎ）上の既存植物１を排除し、施工対象地を目土３で覆った後、前記根茎又は株又は種子を適宜に法面Ｎに配置し、その上側を覆うようにシート状体を法面Ｎに設置すればよい。また、この場合、前記シート状体に在来多年生草本類の通芽を許容する目合いが設けられていれば、シート状体が在来多年生草本類の通芽を妨げることがないので、前記凹入部５を設ける必要がない。さらに、シート状体に前記目合いが設けられていなくても、その強度（耐久力）が在来多年生草本類の芽の貫通（通芽）が可能な程度以下に設定されていれば、シート状体が在来多年生草本類の通芽を妨げることがないので、前記凹入部５を設ける必要がなく、しかもこの場合には、在来多年生草本類以外の雑草の繁茂を抑制することができる。尚、在来多年生草本類としてチガヤを使用した場合、一般的な植物と比較してチガヤの通芽力は非常に大きく、市販の殆どの防草マットの強度（耐久力）を上回るため、シート状体として通常の防草マットを使用すれば、チガヤ以外の雑草の繁茂を確実に防ぐと同時にチガヤ群落を造成することができる。
【００４１】
また、施工対象地として、上述した実施の形態では法面Ｎが記載されているがこれに限定されるわけではなく、例えば河川敷や公園などの平地が施工対象地であっても上記実施の形態に係る造成方法は施工可能である。
【図面の簡単な説明】
【００４２】
【図１】（Ａ）〜（Ｅ）は、この発明の一実施の形態に係る在来多年生草本類群落の造成方法の構成を概略的に示す説明図である。
【図２】上記実施の形態におけるチガヤ苗の育苗方法の構成を概略的に示す説明図である。
【図３】上記実施の形態における植生ステップ直後の法面の状態を概略的に示す縦断面図である。
【図４】（Ａ）および（Ｂ）は、上記実施の形態におけるセルトレイの変形例の構成を概略的に示す説明図である。
【符号の説明】
【００４３】
１  既存植物
３  目土
４  シート状体
５  凹入部
６  在来多年生草本類の苗
Ｎ  法面
【図１】
2005232953.tif 000003
【図２】
2005232953.tif 000004
【図３】
2005232953.tif 000005
【図４】
2005232953.tif 000006